(57)【要約】【課題】ガスケットによる防水性を確保することが目的である。【解決手段】電子機器１０は、リアケース１２に形成された収容溝３０に収容されたガスケット１６を備えている。このガスケット１６は、第二爪部４８における第一爪部２８との嵌合面４８Ａと反対側の面４８Ｂと、収容溝３０の底面３０Ａとによって押圧されており、リアケース１２とフロントケース１４との間を止水している。リアケース１２には、規制壁部３６が形成されている。この規制壁部３６は、第二壁部４６における第一爪部２８側と反対側の背面４６Ａに沿ってフロントケース１４側に延出されている。また、第一爪部２８及び第二爪部４８の嵌合前の状態において自由状態にあるガスケット１６の上端よりも規制壁部３６の上端の位置が高くなるように規制壁部３６の高さが設定されている。【選択図】図４
2014086512.tif 000002
【特許請求の範囲】
【請求項１】
筐体の内側に向かって突出する第一爪部が形成された第一壁部を有する第一ケースと、
前記筐体の外側に向かって突出し前記第一爪部と嵌合された第二爪部が形成された第二壁部を有し、前記第一ケースと共に前記筐体を形成する第二ケースと、
前記第一ケースに形成された収容溝に収容されると共に、前記第二爪部における前記第一爪部との嵌合面と反対側の面と、前記収容溝の底面とによって押圧され、前記第一ケースと前記第二ケースとの間を止水するガスケットと、
前記第一ケースに形成されると共に、前記第二壁部における前記第一爪部側と反対側の背面に沿って前記第二ケース側に延出され、且つ、前記第一爪部及び前記第二爪部の嵌合前において自由状態にある前記ガスケットの上端よりも上端の位置が高くなるように高さが設定された規制壁部と、
を備えた電子機器。
【請求項２】
前記規制壁部は、前記第一ケース及び前記第二ケースの組付方向において前記第一爪部よりも低い位置に位置され、
前記第一ケース及び前記第二ケースの組付方向に沿った前記第一爪部と前記規制壁部との間の寸法は、前記第一ケース及び前記第二ケースの組付方向に沿った前記第二爪部の嵌合面と前記第二壁部の高さ方向の端面との間の寸法よりも小さく設定されている、
請求項１に記載の電子機器。
【請求項３】
前記規制壁部は、前記第一爪部に対して前記第一ケースの周縁部に沿う方向にずれた位置に形成されている、
請求項１又は請求項２に記載の電子機器。
【発明の詳細な説明】
【技術分野】
【０００１】
本願の開示する技術は、電子機器に関する。
【背景技術】
【０００２】
従来、筐体の内側に向かって突出する第一爪部が形成された第一壁部を有する第一ケースと、筐体の外側に向かって突出し第一爪部と嵌合された第二爪部が形成された第二壁部を有する第二ケースとを備えた電子機器が知られている。
【先行技術文献】
【特許文献】
【０００３】
【特許文献１】特開２００１−２１７５６１号公報
【発明の概要】
【発明が解決しようとする課題】
【０００４】
このような電子機器においては、第一ケースと第二ケースとの間を止水するために、例えば、第一ケースに収容溝が形成されると共に、この収容溝にガスケットが収容されることがある。このガスケットは、第二爪部における第一爪部との嵌合面と反対側の面と、収容溝の底面とによって押圧される。
【０００５】
ところが、このような構造では、第一ケース及び第二ケースの組付過程において第一爪部の先端と第二爪部との先端が突き当たると、第一壁部の反力により第二壁部が撓んで第二爪部が筐体の内側に移動することがある。この場合、第二爪部が第一爪部を乗り越えて元の位置に戻ると、この第二爪部の戻り移動によりガスケットに捩り力が作用し、ガスケットによる防水性が低下する虞がある。
【０００６】
そこで、本願の開示する技術は、一つの側面として、ガスケットによる防水性を確保することができるようにすることを目的とする。
【課題を解決するための手段】
【０００７】
上記目的を達成するために、本願の開示する技術によれば、第一ケース、第二ケース、及び、ガスケットを備えた電子機器が提供される。第一ケースは、第一壁部を有しており、この第一壁部には、筐体の内側に向かって突出する第一爪部が形成されている。第二ケースは、第一ケースと共に筐体を形成しており、第二壁部を有している。この第二壁部には、筐体の外側に向かって突出する第二爪部が形成されており、この第二爪部は、第一爪部と嵌合されている。第一ケースには、収容溝が形成されており、ガスケットは、この収容溝に収容されている。このガスケットは、第二爪部における第一爪部との嵌合面と反対側の面と、収容溝の底面とによって押圧されており、第一ケースと第二ケースとの間を止水している。
【０００８】
また、第一ケースには、規制壁部が形成されている。この規制壁部は、第二壁部における第一爪部側と反対側の背面に沿って第二ケース側に延出されている。そして、第一爪部及び第二爪部の嵌合前において自由状態にあるガスケットの上端よりも規制壁部の上端の位置が高くなるように、規制壁部の高さは設定されている。
【発明の効果】
【０００９】
本願の開示する技術によれば、ガスケットによる防水性を確保することができる。
【図面の簡単な説明】
【００１０】
【図１】電子機器の分解斜視図である。
【図２】図１に示されるリアケースの要部拡大斜視図である。
【図３】図１に示される筐体を第一爪部の位置で切断した要部拡大縦断面図である。
【図４】図１に示される筐体を規制壁部の位置で切断した要部拡大縦断面図である。
【図５】図１に示される筐体を組み付ける様子を説明する図である。
【発明を実施するための形態】
【００１１】
以下、本願の開示する技術の一実施形態を説明する。
【００１２】
図１に示されるように、本実施形態に係る電子機器１０は、リアケース１２と、フロントケース１４と、ガスケット１６と、内部ユニット１８と、表示器２０を備えている。
【００１３】
リアケース１２及びフロントケース１４は、電子機器１０の筐体２２を形成している。このリアケース１２及びフロントケース１４は、筐体２２の厚さ方向（矢印Ｔ方向）に分割されている。このフロントケース１４及びリアケース１２の内部には、例えば制御基板やバッテリ等を有する内部ユニット１８が収容される。また、フロントケース１４には、例えば液晶表示器等の表示器２０が組み付けられている。表示器２０は、内部ユニット１８の制御基板によって駆動される。なお、リアケース１２は、第一ケースの一例であり、フロントケース１４は、第二ケースの一例である。
【００１４】
リアケース１２は、筐体２２の縦方向及び横方向に延在する本体部２４と、この本体部２４の外縁部に形成された第一壁部２６を有している。この第一壁部２６は、リアケース１２及びフロントケース１４の組付方向である筐体２２の厚さ方向（矢印Ｔ方向）に沿ってフロントケース１４側に延出されると共に、リアケース１２の周縁部の全周に亘って形成されている。この第一壁部２６の先端部（フロントケース１４側の上端部）には、筐体２２の内側に向かって突出する複数の第一爪部２８が形成されている（図２，図３も参照）。この複数の第一爪部２８は、リアケース１２の周縁部に沿う方向（矢印Ｒ方向）に間隔を空けて形成されている。
【００１５】
また、図４に示されるように、このリアケース１２の本体部２４には、フロントケース１４側に開口する収容溝３０が形成されている。この収容溝３０は、第一壁部２６よりも筐体２２の内側に位置されており、第一壁部２６に沿って環状に形成されている（図２，図３も参照）。この収容溝３０を形成する一対の側壁部３２，３４のうち筐体２２の外側に位置される側壁部３２には、上述の第一壁部２６が形成されている。第一壁部２６は、側壁部３２の上端における筐体２２の外側寄りの位置に形成されており、側壁部３２の上端の厚みは、第一壁部２６の下端の厚みよりも厚くなっている。
【００１６】
また、リアケース１２には、後述する第二壁部４６の撓みを規制するための規制壁部３６が形成されている。この規制壁部３６は、収容溝３０を形成する一対の側壁部３２，３４のうち筐体２２の内側に位置する側壁部３４の上端からフロントケース１４側に延出されている。この規制壁部３６は、第一爪部２８が後述する第二爪部４８と嵌合された状態において、第二壁部４６における第一爪部２８側と反対側の背面４６Ａに沿うように、フロントケース１４側に直線状に延出されている。
【００１７】
また、規制壁部３６は、第一壁部２６よりも曲げ剛性が高くなるように、その厚さ、長さ、及び、形状等が設定されている。この規制壁部３６は、図２に示されるように、第一爪部２８に対してリアケース１２の周縁部に沿う方向（矢印Ｒ方向）にずれた位置に形成されている。本実施形態では、一例として、規制壁部３６は、隣り合う一対の第一爪部２８の間の中央部に形成されている。
【００１８】
また、側壁部３４には、複数の切欠き３８が形成されている。この複数の切欠き３８は、リアケース１２の周縁部に沿う方向に間隔を空けて形成されている。この複数の切欠き３８の各々は、リアケース１２の周縁部に沿う方向に第一爪部２８とオーバーラップする位置に形成されている。また、この複数の切欠き３８の各々は、第一爪部２８の突出方向に貫通している。なお、この切欠き３８は、リアケース１２の樹脂成型時に第一爪部２８を形成するための分割型（入れ子や中子等）により形成されるものである。
【００１９】
図３，図４に示されるように、フロントケース１４は、リアケース１２の本体部２４と対向する本体部４４と、この本体部４４から筐体２２の厚さ方向（矢印Ｔ方向）に沿ってリアケース１２側に延出された第二壁部４６を有している。第二壁部４６は、第一壁部２６に沿って環状に形成されると共に、この第一壁部２６よりも筐体２２の内側に位置されている。また、この第二壁部４６は、図４に示されるように、側壁部３４の延長線上に形成されている。第二壁部４６の背面４６Ａには、規制壁部３６と対応する位置に、この規制壁部３６との干渉（突き当たり）を回避するための逃げ部５０が形成されている。
【００２０】
また、第二壁部４６の先端部（リアケース１２側の下端部）には、筐体２２の外側に向かって突出する第二爪部４８が形成されている。この第二爪部４８は、第二壁部４６の全周に亘って形成されている。この第二爪部４８の先端は、収容溝３０よりも筐体２２の外側に位置されている。つまり、第二爪部４８は、収容溝３０を塞ぐように、その大きさ及び位置が設定されている。
【００２１】
この第二爪部４８は、図３，図４に示されるように、第一爪部２８に対する収容溝３０側から第一爪部２８と筐体２２の厚さ方向に嵌合（係止）される。このように第一爪部２８及び第二爪部４８が嵌合されることにより、上述のフロントケース１４及びリアケース１２は、互いに組み付けられている。また、第一爪部２８及び第二爪部４８の互いの嵌合面２８Ａ，４８Ａは、いずれも筐体２２の厚さ方向と交差（略直交）する方向に沿って形成されている。さらに、第二爪部４８における第一爪部２８との嵌合面４８Ａと反対側の面４８Ｂも、筐体２２の厚さ方向と交差（略直交）する方向に沿って形成されている。
【００２２】
ガスケット１６は、弾性を有する例えばゴム等の材料により形成されている。このガスケット１６は、収容溝３０に沿った環状に形成されており、この収容溝３０に収容されている。このガスケット１６は、一対の脚部５２と、一つの凸部５４を有している。一対の脚部５２は、ガスケット１６の横幅方向に並んでおり、収容溝３０の底面３０Ａ側に向けて突出されている。一方、凸部５４は、ガスケット１６の横幅方向の中央部から第二爪部４８側に向けて突出されている（図５の上図も参照）。
【００２３】
また、このガスケット１６には、図３に示されるように、上述の切欠き３８と対応する位置に突起部５６が形成されている。この突起部５６は、環状に形成されたガスケット１６の内側（つまり、筐体２２の内側）に向けて突出されている。この突起部５６は、切欠き３８に嵌合されており、これにより、ガスケット１６は、リアケース１２の周縁部に沿う方向に位置決めされている。
【００２４】
また、図３，図４に示されるように、このガスケット１６は、第一爪部２８及び第二爪部４８が嵌合された状態では、第二爪部４８における嵌合面４８Ａと反対側の面４８Ｂと、収容溝３０の底面３０Ａとによって押圧（弾性圧縮）される。そして、このガスケット１６は、第二爪部４８の面４８Ｂと収容溝３０の底面３０Ａとによって押圧された状態で、リアケース１２とフロントケース１４との間を止水する。一方、このガスケット１６は、図５の上図に示されるように、第一爪部２８及び第二爪部４８の嵌合前の状態では、自由状態（弾性変形していない状態）となる。
【００２５】
ここで、第一爪部２８及び第二爪部４８の嵌合前の状態においては、自由状態にあるガスケット１６の上端よりも規制壁部３６の上端の位置が高くなるように、上述の規制壁部３６の高さは設定されている。また、第一爪部２８の先端と第二爪部４８の先端とが突き当たっているとき（第二爪部４８が第一爪部２８を乗り越える前のとき）には、第二壁部４６の背面４６Ａが規制壁部３６に当接されるように、第二壁部４６の高さ、第二爪部４８の厚み、及び、規制壁部３６の高さ等が設定されている。
【００２６】
本実施形態では、一例として、規制壁部３６は、リアケース１２及びフロントケース１４の組付方向である筐体２２の厚さ方向（矢印Ｔ方向）において、第一爪部２８よりも低い位置に位置されている。また、図４に示されるように、筐体２２の厚さ方向に沿った第一爪部２８と規制壁部３６との間の寸法Ｈ１は、筐体２２の厚さ方向に沿った第二爪部４８の嵌合面４８Ａと第二壁部４６の高さ方向の端面である下端面４６Ｂとの間の寸法Ｈ２よりも小さく設定されている。
【００２７】
なお、寸法Ｈ１は、より具体的には、筐体２２の厚さ方向に沿った第一爪部２８の先端面の下端２８Ｂと規制壁部３６の上端３６Ａとの間の寸法である。また、寸法Ｈ２は、筐体２２の厚さ方向に沿った第二爪部４８の嵌合面４８Ａの先端４８Ｃと第二壁部４６の下端面４６Ｂにおける背面側の端部４６Ｃとの間の寸法である。
【００２８】
次に、本実施形態の作用及び効果について説明する。
【００２９】
以上詳述したように、本実施形態によれば、リアケース１２には、規制壁部３６が形成されている。この規制壁部３６は、第二壁部４６における第一爪部２８側と反対側の背面４６Ａに沿ってフロントケース１４側に延出されている。従って、図５の上図に示されるように、リアケース１２及びフロントケース１４の組付過程において、第一爪部２８の先端と第二爪部４８の先端とが突き当たった状態でも、筐体２２の内側への第二壁部４６の撓みを規制壁部３６により規制することができる。これにより、筐体２２の内側への第二爪部４８の移動を抑制することができる。
【００３０】
しかも、第一爪部２８及び第二爪部４８の嵌合前の状態において自由状態にあるガスケット１６の上端よりも規制壁部３６の上端の位置が高くなるように、この規制壁部３６の高さは設定されている。従って、第二爪部４８がガスケット１６に接触する前に、筐体２２の内側への第二壁部４６の撓みが規制壁部３６により規制され、第二爪部４８が位置決めされる。
【００３１】
これにより、図５の下図に示されるように、第二爪部４８が第一爪部２８を乗り越えて、この第二爪部４８が第一爪部２８と嵌合される場合でも、第二爪部４８がガスケット１６を収容溝３０の底面３０Ａ側へ真っ直ぐに押圧する。この結果、ガスケット１６に捩り力が作用することを抑制することができるので、ガスケット１６による防水性を確保することができる。
【００３２】
また、第一爪部２８は、リアケース１２からフロントケース１４側に延出された第一壁部２６の先端部に形成されている。従って、第一爪部２８の先端と第二爪部４８の先端とが突き当たると共に第二壁部４６の撓みが規制壁部３６により規制されている状態では、第一壁部２６を筐体２２の外側に撓ませることができる。これにより、第一爪部２８を筐体２２の外側に移動させることができるので、第一爪部２８及び第二爪部４８を円滑に嵌合させることができる。
【００３３】
また、規制壁部３６は、リアケース１２及びフロントケース１４の組付方向である筐体２２の厚さ方向（矢印Ｔ方向）において第一爪部２８よりも低い位置に位置されている。従って、第一爪部２８の先端と第二爪部４８の先端とが接触し始めた嵌合初期の段階においては、第二壁部４６の撓みが規制壁部３６により規制されることを抑制することができる。これにより、第一爪部２８と第二爪部４８との嵌合初期の段階において、第一爪部２８及び第二爪部４８の嵌合に必要な荷重を軽減することができる。
【００３４】
一方、図４に示されるように、筐体２２の厚さ方向に沿った第一爪部２８と規制壁部３６との間の寸法Ｈ１は、筐体２２の厚さ方向に沿った第二爪部４８の嵌合面４８Ａと第二壁部４６の下端面４６Ｂとの間の寸法Ｈ２よりも小さく設定されている。従って、少なくとも第二爪部４８が第一爪部２８を乗り越えようとしている嵌合後期の段階においては、筐体２２の内側への第二壁部４６の撓みを規制壁部３６により規制することができる。
【００３５】
また、規制壁部３６は、第一爪部２８に対してリアケース１２の周縁部に沿う方向にずれた位置に形成されている。従って、第一爪部２８と対応する位置においては、第二壁部４６の若干の撓みを許容することができる。これにより、第一爪部２８及び第二爪部４８の嵌合に必要な力を軽減することができるので、第一爪部２８及び第二爪部４８をより一層円滑に嵌合させることができる。なお、この場合の第二壁部４６の撓みは、ガスケット１６に捩りが生じない範囲内に設定される。
【００３６】
また、図３に示されるように、ガスケット１６には、突起部５６が形成されており、この突起部５６は、切欠き３８と嵌合されている。従って、このガスケット１６の位置ずれを抑制することができる。
【００３７】
しかも、この切欠き３８は、リアケース１２の樹脂成型時に第一爪部２８を形成するための分割型（入れ子や中子等）により形成されたものである。従って、この切欠き３８をガスケット１６の位置決めのために使用しているので、構造を簡素化することができる。
【００３８】
次に、本実施形態の変形例について説明する。
【００３９】
本実施形態において、第一爪部２８、収容溝３０、及び、規制壁部３６は、リアケース１２に形成され、第二爪部４８は、フロントケース１４に形成されていた。しかしながら、第一爪部２８、収容溝３０、及び、規制壁部３６は、フロントケース１４に形成され、第二爪部４８は、リアケース１２に形成されていても良い。この場合、リアケース１２は、第二ケースの一例であり、フロントケース１４は、第一ケースの一例である。
【００４０】
また、リアケース１２及びフロントケース１４は、筐体２２の厚さ方向（矢印Ｔ方向）に分割されていたが、その他の方向に分割されていても良い。
【００４１】
また、規制壁部３６は、筐体２２の厚さ方向において第一爪部２８よりも低い位置に位置されていた。しかしながら、規制壁部３６の先端側の部分は、筐体２２の厚さ方向に第一爪部２８とオーバーラップされていても良い。
【００４２】
また、第二壁部４６の背面４６Ａには、規制壁部３６との干渉（突き当たり）を回避するための逃げ部５０が形成されていた。しかしながら、規制壁部３６が第二壁部４６よりも筐体２２の内側に形成される場合には、第二壁部４６の背面４６Ａから逃げ部５０が省かれても良い。
【００４３】
また、電子機器１０は、表示器２０を備えていたが、表示器２０を備えていなくても良い。
【００４４】
なお、上記複数の変形例は、適宜、組み合わされても良い。
【００４５】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００４６】
なお、上述の本願の開示する技術の一実施形態に関し、更に以下の付記を開示する。
【００４７】
（付記１）
筐体の内側に向かって突出する第一爪部が形成された第一壁部を有する第一ケースと、
前記筐体の外側に向かって突出し前記第一爪部と嵌合された第二爪部が形成された第二壁部を有し、前記第一ケースと共に前記筐体を形成する第二ケースと、
前記第一ケースに形成された収容溝に収容されると共に、前記第二爪部における前記第一爪部との嵌合面と反対側の面と、前記収容溝の底面とによって押圧され、前記第一ケースと前記第二ケースとの間を止水するガスケットと、
前記第一ケースに形成されると共に、前記第二壁部における前記第一爪部側と反対側の背面に沿って前記第二ケース側に延出され、且つ、前記第一爪部及び前記第二爪部の嵌合前において自由状態にある前記ガスケットの上端よりも上端の位置が高くなるように高さが設定された規制壁部と、
を備えた電子機器。
（付記２）
前記規制壁部は、前記第一ケース及び前記第二ケースの組付方向において前記第一爪部よりも低い位置に位置され、
前記第一ケース及び前記第二ケースの組付方向に沿った前記第一爪部と前記規制壁部との間の寸法は、前記第一ケース及び前記第二ケースの組付方向に沿った前記第二爪部の嵌合面と前記第二壁部の高さ方向の端面との間の寸法よりも小さく設定されている、
付記１に記載の電子機器。
（付記３）
前記規制壁部は、前記第一爪部に対して前記第一ケースの周縁部に沿う方向にずれた位置に形成されている、
付記１又は付記２に記載の電子機器。
（付記４）
前記第一壁部は、前記第一ケース及び前記第二ケースの組付方向に沿って前記第二ケース側に延出され、
前記第二壁部は、前記第一壁部よりも前記筐体の内側に位置すると共に、前記第一ケース及び前記第二ケースの組付方向に沿って前記第一ケース側に延出されている、
付記１〜付記３のいずれか一項に記載の電子機器。
（付記５）
前記収容溝は、前記第一壁部よりも前記筐体の内側に位置され、
前記第二壁部は、前記収容溝を形成する一対の側壁部のうち前記筐体の内側に位置する側壁部の延長線上に形成され、
前記規制壁部は、前記収容溝を形成する一対の側壁部のうち前記筐体の内側に位置する側壁部の上端から前記第二ケース側に延出され、
前記第二壁部の背面には、前記規制壁部と対応する位置に逃げ部が形成されている、
付記１〜付記４のいずれか一項に記載の電子機器。
（付記６）
前記収容溝を形成する一対の側壁部のうち前記筐体の内側に位置する側壁部には、前記第一ケースの周縁部に沿う方向に前記第一爪部とオーバーラップする位置に、前記第一爪部の突出方向に貫通する切欠きが形成されている、
付記１〜付記５のいずれか一項に記載の電子機器。
（付記７）
前記ガスケットには、前記切欠きと嵌合された突起部が形成されている、
付記６に記載の電子機器。
【符号の説明】
【００４８】
１０  電子機器
１２  リアケース（第一ケースの一例）
１４  フロントケース（第二ケースの一例）
１６  ガスケット
２２  筐体
２６  第一壁部
２８  第一爪部
３０  収容溝
３６  規制壁部
４６  第二壁部
４８  第二爪部
５６  突起部
【図１】
2014086512.tif 000003
【図２】
2014086512.tif 000004
【図３】
2014086512.tif 000005
【図４】
2014086512.tif 000006
【図５】
2014086512.tif 000007